(57)【要約】【課題】  接触型、あるいは接触と非接触両用のＳＩＭを装着でき、ＵＳＢ機器を接続でき、バイオメトリクス認証のできるＵＩＭアダプタを提供する。【解決手段】  本発明のＳＩＭアダプタ１は、接触型、あるいは接触と非接触両用のＳＩＭを着脱可能に装着できる構造を有し、（１）ＵＳＢコネクタ２０と、（２）インターフェース変換用ＩＣチップ、または（３）制御用ＩＣチップ、を備えるＳＩＭアダプタであって、液晶ディスプレイ４と、指紋センサ６と、捲線アンテナコイルと、を任意的に有しているＳＩＭアダプタ１において、さらにＵＳＢ用ハブコントローラと、１または複数のＵＳＢ用受けソケット８を、さらに備えることを特徴とする。  このＳＩＭアダプタの構成により、ＵＳＢ用受けソケット８にバイオメトリクスセンサを接続して各種のバイオメトリクスデータを取得することができる。【選択図】    図４
2005202621.tif 000002
【特許請求の範囲】
【請求項１】
ＩＳＯ７８１６−２、ＩＳＯ７８１６−３で規定する接触インターフェースを備えるＳＩＭを着脱可能に装着できる構造を有し、（１）ＵＳＢコネクタと、
（２）インターフェース変換用ＩＣチップと、を有しているＳＩＭアダプタにおいて、ＵＳＢ用ハブコントローラと、１または複数のＵＳＢ用受けソケットを、さらに備えることを特徴とするＳＩＭアダプタ。
【請求項２】
ＩＳＯ７８１６−２、ＩＳＯ７８１６−３で規定する接触、ＩＳＯ１４４４３で規定する非接触インターフェースを備えるＳＩＭを着脱可能に装着できる構造を有し、（１）ＵＳＢコネクタと、（２）インターフェース変換用ＩＣチップと、（３）非接触交信用アンテナコイルと、を有しているＳＩＭアダプタにおいて、ＵＳＢ用ハブコントローラと、１または複数のＵＳＢ用受けソケットを、さらに備えることを特徴とするＳＩＭアダプタ。
【請求項３】
ＩＳＯ７８１６−２、ＩＳＯ７８１６−３で規定する接触インターフェースを備えるＳＩＭを着脱可能に装着できる構造を有し、（１）ＵＳＢコネクタと、
（２）制御用ＩＣチップと、を有しているＳＩＭアダプタにおいて、ＵＳＢ用ハブコントローラと、１または複数のＵＳＢ用受けソケットを、さらに備えることを特徴とするＳＩＭアダプタ。
【請求項４】
ＩＳＯ７８１６−２、ＩＳＯ７８１６−３で規定する接触、ＩＳＯ１４４４３で規定する非接触インターフェースを備えるＳＩＭを着脱可能に装着できる構造を有し、（１）ＵＳＢコネクタと、（２）制御用ＩＣチップと、（３）非接触交信用アンテナコイルと、を有しているＳＩＭアダプタにおいて、ＵＳＢ用ハブコントローラと、１または複数のＵＳＢ用受けソケットを、さらに備えることを特徴とするＳＩＭアダプタ。    
【請求項５】
ＩＳＯ７８１６−２、ＩＳＯ７８１６−３で規定する接触インターフェースを備えるＳＩＭを着脱可能に装着できる構造を有し、（１）ＵＳＢコネクタと、
（２）制御用ＩＣチップと、（３）液晶ディスプレイと、を有しているＳＩＭアダプタにおいて、ＵＳＢ用ハブコントローラと、１または複数のＵＳＢ用受けソケットを、さらに備えることを特徴とするＳＩＭアダプタ。
【請求項６】
ＩＳＯ７８１６−２、ＩＳＯ７８１６−３で規定する接触、ＩＳＯ１４４４３で規定する非接触インターフェースを備えるＳＩＭを着脱可能に装着できる構造を有し、（１）ＵＳＢコネクタと、（２）制御用ＩＣチップと、（３）液晶ディスプレイと、（４）非接触交信用アンテナコイルと、を有しているＳＩＭアダプタにおいて、ＵＳＢ用ハブコントローラと、１または複数のＵＳＢ用受けソケットを、さらに備えることを特徴とするＳＩＭアダプタ。
【請求項７】
ＩＳＯ７８１６−２、ＩＳＯ７８１６−３で規定する接触インターフェースを備えるＳＩＭを着脱可能に装着できる構造を有し、（１）ＵＳＢコネクタと、
（２）制御用ＩＣチップと、（３）液晶ディスプレイと、（４）指紋センサと、を有しているＳＩＭアダプタにおいて、ＵＳＢ用ハブコントローラと、１または複数のＵＳＢ用受けソケットを、さらに備えることを特徴とするＳＩＭアダプタ。
【請求項８】
ＩＳＯ７８１６−２、ＩＳＯ７８１６−３で規定する接触、ＩＳＯ１４４４３で規定する非接触インターフェースを備えるＳＩＭを着脱可能に装着できる構造を有し、（１）ＵＳＢコネクタと、（２）制御用ＩＣチップと、（３）液晶ディスプレイと、（４）指紋センサと、（５）非接触交信用アンテナコイルと、を有しているＳＩＭアダプタにおいて、ＵＳＢ用ハブコントローラと、１または複数のＵＳＢ用受けソケットを、さらに備えることを特徴とするＳＩＭアダプタ。
【請求項９】
２次電池をさらに備えることを特徴とする請求項３から請求項８のいずれか１の請求項に記載のＳＩＭアダプタ。
【請求項１０】
電源のオン−オフや表示選択、動作決定のための釦を備えることを特徴とする請求項５から請求項８のいずれか１の請求項に記載のＳＩＭアダプタ。
【発明の詳細な説明】
【技術分野】
【０００１】
本発明は、接触または接触と非接触の両機能を有するＳＩＭを着脱可能に装着して使用するＳＩＭアダプタであるが、特に、ＵＳＢ機器を接続するための１または複数のＵＳＢ用受けソケットを本体に備えることを特徴とするＳＩＭアダプタに関する。
このようなＳＩＭアダプタは、ＳＩＭを装着してパーソナルコンピュータ（以下、「ＰＣ」とも表記する。）等に接続した際に、ＵＳＢ用受けソケットに指紋センサ等のバイオメトリクスセンサを接続して、高度なアクセス権限認証を行う目的等に使用できるものである。従って、本発明の技術分野は、ＳＩＭアダプタの製造や利用の分野に関する。
【背景技術】
【０００２】
近年、携帯電話機には小型のＩＣカードであるＳＩＭ（Ｓｕｂｓｃｒｉｂｅｒ  Ｉｄｅｎｔｉｔｙ  Ｍｏｄｕｌｅ）やＵＩＭ、ＵＳＩＭ（Ｕｎｉｖｅｒｓａｌ  ＳＩＭ）カードと呼ばれるセキュリティＩＤモジュールが組み込まれてきていて、日本でも最新の携帯電話機には組み込まれて既に実用化されている。
ＵＩＭ（Ｕｓｅｒ  Ｉｄｅｎｔｉｔｙ  Ｍｏｄｕｌｅ）は、携帯電話会社が発行する契約者情報を記録したＩＣカードであって、携帯電話機に組み込んで利用者の識別に使用する。ＵＩＭは、例えば、アメリカのｃｄｍａ２０００携帯電話機に差し込んで国際ローミングサービスを受けるといった使用方法が考えられている。
【０００３】
また一方、このＳＩＭやＵＩＭを装着して使用するＳＩＭアダプタやＳＩＭリーダライタが用いられるようにもなってきている。このものには、接触型であるＳＩＭやＵＩＭ、あるいは接触、非接触両機能を有するＳＩＭやＵＩＭが使用されている。後者は、ＩＳＯ７８１６−２、ＩＳＯ７８１６−３で規定される接触と、ＩＳＯ１４４４３で規定する非接触インターフェースを備えるものである。
さらに、ＵＳＢ（ユニバーサル・シリアル・バス）接触とのデュアルインターフェースのＩＣカードが開発されている（特許文献１）。ＵＳＢインターフェースを持つＩＣカードは、パソコンなどのＵＳＢ対応機器との接続を容易にし、社員証カードなどでネットワークアクセス用ＩＤカードとして注目されはじめている。
【０００４】
本願出願人は、先に、ＩＳＯ７８１６−２、ＩＳＯ７８１６−３で規定される接触と、ＩＳＯ１４４４３非接触のインターフェースを備えるＵＳＢコネクタ付きＳＩＭホルダーについて、特許文献２において提案している。
また、特許文献３、特許文献４においては、液晶ティスプレイ付きＳＩＭリーダライタについて提案している。
【０００５】
図１１は、液晶ディスプレイ付きＳＩＭリーダライタを示す図であって、図１１（Ａ）は、斜視図、図１１（Ｂ）は、図１１（Ａ）のＡ−Ａ線断面図である。
図１１（Ａ）のように、液晶ディスプレイ付きＳＩＭリーダライタ１Ｓは、本体表面に、液晶ディスプレイ４を有し、ＳＩＭ２が保有する各種の情報表示が可能である。また、左側にＵＳＢコネクタ２０を有し、右側にＳＩＭ２の挿入口１５を有している。ＳＩＭ２を段部１６に沿って挿入口１５から差し込みすることができる。ＵＳＢコネクタ２０を有する場合、ＳＩＭ２を装着した状態で、ＵＳＢコネクタ２０をＰＣ等に差し込みすれば、アクセス権限認証をすることができ、認証後はＰＣとの間でデータ授受を開始できる。
なお、ＬＥＤ表示１４は電源投入状態であるか否かを示し、スイッチボタン９は、電源のオン−オフや表示選択、動作決定等に使用される。
【０００６】
図１１（Ｂ）のように、ＳＩＭリーダライタの右側から挿入したＳＩＭ２は、端子板１２の下側で停止し固定されるようになっている。通常、ＳＩＭリーダライタ１Ｓは、上蓋部１８と下側ケース部１９とから構成されいて、図示してないが、その内部に非接触通信用のアンテナコイルやバッテリを有している。アンテナコイルは端子板１２を介して、ＳＩＭ２の接触端子板２ｔのＣ４，Ｃ８端子に接続するようにされている。
なお、本明細書の特許請求の範囲および以降の記載においては、ＳＩＭとは、ＵＩＭやＵＳＩＭを含むＩＣカードを総称して表現するものとする。
また、本発明ではＳＩＭアダプタと表現しているが、外観や機能自体は、特許文献４のＳＩＭリーダライタ１Ｓと同様のものである。
【０００７】
ところで、情報の電子化とネットワークの進展により、情報処理装置内の情報が部外者に漏れないようにするセキュリティーが重要となってきている。このセキュリティー確保のために、ＳＩＭを装着しＵＳＢコネクタを有するＳＩＭリーダライタをＰＣ等に接続して、本人認証をすることが行われるようになってきている。
従来、この本人認証のためには、パスワードやＩＤ、暗証番号を使用しているが、パスワードやＩＤ、暗証番号を記憶していることやキー入力することが、本人にとって負担となる問題がある。また、パスワードやＩＤ、暗証番号は、他人に漏れるおそれもある。
そこで、このパスワードやＩＤ、暗証番号に代わるものとして、本人しか持ち得ないバイオメトリクス情報（生体情報）である指紋や顔面情報、あるいは声紋や静脈情報を利用して本人を認証することが行なわれてきている。
【０００８】
特許文献５は、そのような認証情報を得る目的のため、情報処理装置に指紋センサ等のバイオメトリクスセンサを接続できるような拡張機能を持たせたものであり、その目的としては本願と多少共通するところがある。ただし、本願のように拡張機能部自体に、ＵＳＢ用受けソケットを設けることは記載されていない。
また、特許文献６は、携帯型のものではないが、ＵＳＢ用受けソケットを複数有し、ＩＣカードのデータを読み取りするＩＣカード用リーダライタについて提案している。
【０００９】
【特許文献１】特表２００２−５２５７２０号公報
【特許文献２】特願２００２−２８４８２５号
【特許文献３】特願２００３−０４６６５６号
【特許文献４】特願２００３−０４６６５７号
【特許文献５】特開２００１−１２５６６２号公報
【特許文献６】特願２００３−０５５１５０号
【００１０】
ところで、前述のようなＳＩＭリーダに、ＳＩＭを装着し、ノートパソコン等の可搬式情報処理装置、またはデスクトップパソコン等の固定式情報処理装置、あるいは特定用途のデバイスに接続する場合において、ＰＣ等のＵＳＢインターフェース受けソケット数は、通常１〜４程度であって、既にマウス等に接続しているため、当該受けソケットが全て使用されてしまっている場合がある。
その場合、当該ＳＩＭ内でのバイオメトリクス照合や、ＳＩＭ内にバイオメトリクスデータを蓄積して、ＰＣや端末でバイオメトリクス照合を行なうような利用形態を考えた場合、当該ＳＩＭに対応したバイオメトリクス用センサーが必要になり、さらにＵＳＢ用受けソケットを必要とすることになる。
しかし、出先などにおいて、ＵＳＢインターフェース用ソケットを持ち合わせていない場合には、バイオメトリクス照合を実行できないことになり得る。
【発明の開示】
【発明が解決しようとする課題】
【００１１】
上記のように、ＳＩＭリーダライタを接続するＰＣや特定用途のデバイスに、予備のＵＳＢ用受けソケットが不足する場合であって、ＵＳＢインターフェース用ソケットを持ち合わせていない場合であっても、バイオメトリクスの照合等が可能であって、実用性を損なわないＳＩＭアダプタの形態を研究して、本発明の完成に至ったものである。
【課題を解決するための手段】
【００１２】
上記課題を解決するための本発明の要旨の第１は、ＩＳＯ７８１６−２、ＩＳＯ７８１６−３で規定する接触インターフェースを備えるＳＩＭを着脱可能に装着できる構造を有し、（１）ＵＳＢコネクタと、（２）インターフェース変換用ＩＣチップと、を有しているＳＩＭアダプタにおいて、ＵＳＢ用ハブコントローラと、１または複数のＵＳＢ用受けソケットを、さらに備えることを特徴とするＳＩＭアダプタ、にある。
【００１３】
上記課題を解決するための本発明の要旨の第２は、ＩＳＯ７８１６−２、ＩＳＯ７８１６−３で規定する接触、ＩＳＯ１４４４３で規定する非接触インターフェースを備えるＳＩＭを着脱可能に装着できる構造を有し、（１）ＵＳＢコネクタと、（２）インターフェース変換用ＩＣチップと、（３）非接触交信用アンテナコイルと、を有しているＳＩＭアダプタにおいて、ＵＳＢ用ハブコントローラと、１または複数のＵＳＢ用受けソケットを、さらに備えることを特徴とするＳＩＭアダプタ、にある。
【００１４】
上記課題を解決するための本発明の要旨の第３は、ＩＳＯ７８１６−２、ＩＳＯ７８１６−３で規定する接触インターフェースを備えるＳＩＭを着脱可能に装着できる構造を有し、（１）ＵＳＢコネクタと、（２）制御用ＩＣチップと、を有しているＳＩＭアダプタにおいて、ＵＳＢ用ハブコントローラと、１または複数のＵＳＢ用受けソケットを、さらに備えることを特徴とするＳＩＭアダプタ、にある。
【００１５】
上記課題を解決するための本発明の要旨の第４は、ＩＳＯ７８１６−２、ＩＳＯ７８１６−３で規定する接触、ＩＳＯ１４４４３で規定する非接触インターフェースを備えるＳＩＭを着脱可能に装着できる構造を有し、（１）ＵＳＢコネクタと、（２）制御用ＩＣチップと、（３）非接触交信用アンテナコイルと、を有しているＳＩＭアダプタにおいて、ＵＳＢ用ハブコントローラと、１または複数のＵＳＢ用受けソケットを、さらに備えることを特徴とするＳＩＭアダプタ、にある。
【００１６】
上記課題を解決するための本発明の要旨の第５は、ＩＳＯ７８１６−２、ＩＳＯ７８１６−３で規定する接触インターフェースを備えるＳＩＭを着脱可能に装着できる構造を有し、（１）ＵＳＢコネクタと、（２）制御用ＩＣチップと、（３）液晶ディスプレイと、を有しているＳＩＭアダプタにおいて、ＵＳＢ用ハブコントローラと、１または複数のＵＳＢ用受けソケットを、さらに備えることを特徴とするＳＩＭアダプタ、にある。
【００１７】
上記課題を解決するための本発明の要旨の第６は、ＩＳＯ７８１６−２、ＩＳＯ７８１６−３で規定する接触、ＩＳＯ１４４４３で規定する非接触インターフェースを備えるＳＩＭを着脱可能に装着できる構造を有し、（１）ＵＳＢコネクタと、（２）制御用ＩＣチップと、（３）液晶ディスプレイと、（４）非接触交信用アンテナコイルと、を有しているＳＩＭアダプタにおいて、ＵＳＢ用ハブコントローラと、１または複数のＵＳＢ用受けソケットを、さらに備えることを特徴とするＳＩＭアダプタ、にある。
【００１８】
上記課題を解決するための本発明の要旨の第７は、ＩＳＯ７８１６−２、ＩＳＯ７８１６−３で規定する接触インターフェースを備えるＳＩＭを着脱可能に装着できる構造を有し、（１）ＵＳＢコネクタと、（２）制御用ＩＣチップと、（３）液晶ディスプレイと、（４）指紋センサと、を有しているＳＩＭアダプタにおいて、ＵＳＢ用ハブコントローラと、１または複数のＵＳＢ用受けソケットを、さらに備えることを特徴とするＳＩＭアダプタ、にある。
【００１９】
上記課題を解決するための本発明の要旨の第８は、ＩＳＯ７８１６−２、ＩＳＯ７８１６−３で規定する接触、ＩＳＯ１４４４３で規定する非接触インターフェースを備えるＳＩＭを着脱可能に装着できる構造を有し、（１）ＵＳＢコネクタと、（２）制御用ＩＣチップと、（３）液晶ディスプレイと、（４）指紋センサと、（５）非接触交信用アンテナコイルと、を有しているＳＩＭアダプタにおいて、ＵＳＢ用ハブコントローラと、１または複数のＵＳＢ用受けソケットを、さらに備えることを特徴とするＳＩＭアダプタ、にある。
【発明の効果】
【００２０】
本発明のＳＩＭアタプタでは、以下の効果が得られる。
（１）携帯型ＰＣやＰＤＡ（Ｐｅｒｓｏｎａｌ  Ｄｉｇｉｔａｌ  Ａｓｓｉｓｔａｎｔ）、携帯電話機等は、機構的にＵＳＢ用受けソケット数が少なく、ＳＩＭアダプタを接続すると、当該機器のＵＳＢ用受けソケットを占領してしまうことが多く、不便なく使用するためには、多数のユーザーがＵＳＢインターフェースソケットを準備し携帯する必要が生じるが、本発明のＳＩＭアダプタでは、そのような問題を生じない。
（２）携帯型ＰＣやＰＤＡ、携帯電話機等に搭載されていないバイオメトリクスセンサを必要とするバイオメトリクス認証とＳＩＭを使ったバイオメトリクス照合の実行が可能となる。
【００２１】
（３）バイオメトリクス認証を行う場合、携帯型のＰＣやＰＤＡ、携帯電話機等のＣＰＵを使用しないで、ＳＩＭアタプタの受けソケットに接続したバイオメトリクスセンサを用いてバイオメトリクス認証を実施することで、上述の機器のＣＰＵやＲＡＭを使用することなくバイオメトリクス認証の実施が可能となるため、バイオメトリクスデータを盗聴される危険性を低減させた使用方法が可能となる。
（４）ＳＩＭアダプタに各種のバイオメトリクスセンサを搭載する必要がなく、目的に応じたセンサを受けソケットに接続して使用できるので、ＳＩＭアダプタ自体の装備を軽減することができる。
【発明を実施するための最良の形態】
【００２２】
ＳＩＭ内でバイオメトリクス照合を行う場合、あるいはＳＩＭ内にバイオメトリクスデータを蓄積してＰＣや携帯端末でバイオメトリクス照合を行う場合の利用形態を想定した場合、そのＳＩＭに対応したバイオメトリクス用センサが必要となる。すなわち、指紋照合の場合は指紋センサ、顔照合の場合はカメラ、静脈照合の場合は静脈センサ、筆跡照合の場合はペンパッド、声紋の場合は声紋採取マイク、等である。
しかし、ＳＩＭを装着するＳＩＭアダプタに、それぞれのセンサを搭載した装置よりも、それらの装置を複数接続可能なインターフェースコネクタ（受けソケット）をＳＩＭアダプタに設けることで、多種類のまたは多機能のマルチメトリクス認証に対応したＳＩＭの運用が可能となる。
もちろん、ＳＩＭアダプタにバイオメトリクスセンサを搭載した上に、さらにＵＳＢインターフェースを設けることも認証方式のバックアップとして有効であり、排除するものではない。
【００２３】
本発明のＳＩＭアダプタは、大別して、制御用ＩＣチップを備えずＵＳＢインターフェース変換ＩＣチップのみを備えるもの（請求項１、請求項２の発明）と、制御用ＩＣチップを備えるもの（請求項３ないし請求項８の発明）とで、基本形態が分かれるが、以下、図面を参照して順次説明する。
図１は、第１形態ＳＩＭアダプタのブロック図、図２は、第２形態ＳＩＭアダプタのブロック図、図３は、第１形態ＳＩＭアダプタの例を示す図、図４は、第２形態ＳＩＭアダプタの例を示す図、図５は、ＳＩＭアダプタの使用状態を説明する図、図６〜図１０は、バイオメトリクスデータの処理方法を説明する図、である。
【００２４】
図１のように、第１形態ＳＩＭアダプタ１Ａは、制御用ＩＣチップを内蔵せず、ＵＳＢインターフェース変換ＩＣチップ１０を備えるタイプである。したがって、外見的にはＳＩＭを読み書きするＳＩＭアダプタであるが、実質的にはＣＰＵを備えないことから、ＵＳＢインターフェースのハブ装置として機能するものである。
ＳＩＭアダプタ１Ａが、ＰＣ等のＵＳＢインターフェース（Ｉ／Ｆ）３０Ｉに接続している際は、ＵＳＢ用ハブコントローラ５とインターフェース変換ＩＣチップ１０を介してＳＩＭ２に接続する。また、ＵＳＢ用ハブコントローラ５には外部機器接続用のＵＳＢ用受けソケット８の１または複数個が直接接続するようにされている。
外部機器とは、ＵＳＢシリアルバスに接続できるものであれば良い。本発明では、前記のようにバイオメトリクスセンサを接続することも目的とするが、バイオメトリクス用デバイス以外にもＵＳＢインターフェースを増設できることは有用なことである。ＳＩＭの読み取り機能を備えつつ、ＵＳＢインターフェースのハブ機能を持たせることが本発明品の特徴である。
【００２５】
ＵＳＢ用ハブコントローラ５は、ＵＳＢシステムに接続されるハブのための専用ＬＳＩのことをいう。一般に、ハブコントローラを介して最大１２７個の機器を６階層まで接続可能なことが知られている。インターフェース変換ＩＣチップ１０は、ＵＳＢの信号データ（Ｄ＋，Ｄ−）をＩＳＯ７８１６データに変換するためのＩＣチップである。
第１形態ＳＩＭアダプタ１Ａは、接触型のＳＩＭを装着する場合（請求項１の発明）と接触、非接触両用のＳＩＭを装着する場合（請求項２の発明）とに分類される。
インターフェース変換ＩＣチップ１０には、ＳＩＭアダプタ１Ａの端子板１２を介してＳＩＭ２が装着される。端子板１２にアンテナコイル１１を接続する場合には、ＳＩＭ２のＲＦＵ（Ｒｅｖｉｓｅｄ  ｆｏｒ  Ｆｕｔｕｒｅ  Ｕｓｅ）端子であるＣ４，Ｃ８端子に接続するようにする。
【００２６】
図２のように、第２形態ＳＩＭアダプタ１Ｂは、制御用ＩＣチップ３を内蔵し、さらに液晶ディスプレイ４と指紋センサ６、釦９を任意的に備えている。
制御用ＩＣチップ３は、ＣＰＵとメモリを有すると共に、ＩＳＯ７８１６ドライバと液晶ディスプレイ駆動用の液晶ドライバを有している。また、インターフェース変換ＩＣチップの機能をも兼ねている。ただし、これらの全てが一体にＩＣチップ化されているものには限られない。
第２形態の場合も、ＵＳＢ用ハブコントローラ５が必須であるが、制御用ＩＣチップ３がその機能を備える場合は特に設ける必要はない。
【００２７】
ＳＩＭ２の信号は、ＳＩＭアダプタ１Ｂの端子板１２とリレー（不図示）を介して制御用ＩＣチップ３に接続する。
制御用ＩＣチップ３を備えるので、指紋センサ６を直接接続することができ、指紋センサの読み取りデータとＳＩＭ２内蔵の指紋データ等のカード保有者のバイオメトリクスデータを読み出して照合することもできる。また、液晶ディスプレイ４を備える場合は、その制御をも行うことになる。ＵＳＢ信号データ（Ｄ＋，Ｄ−）のＩＳＯ７８１６データへの変換も制御用ＩＣチップ３が行う。
液晶ディスプレイ４や指紋センサ６の駆動のためには、バッテリ（２次電池）または外部電源７が必要であり、充電回路を備えていてもよい。釦９は液晶ディスプレイ４の表示選択やＳＩＭ２の動作決定のためのものである。
【００２８】
制御用ＩＣチップ３とＵＳＢ用ハブコントローラ５を介して、外部機器接続用のＵＳＢ用受けソケット８が１または複数接続するようにされているのは第１形態の場合と同様である。図２では、ＵＳＢ用受けソケット８ａ，８ｂ，８ｃの３個が図示されている。
第２形態の場合はＳＩＭアダプタ１Ｂが、ＰＣ等のＵＳＢインターフェース（Ｉ／Ｆ）３０Ｉに接続していなくてもＵＳＢ用受けソケット８に接続したバイオメトリクスセンサ等を機能させることができる。
第２形態ＳＩＭアダプタ１Ｂも、接触型のＳＩＭを装着する場合（請求項３、請求項５、請求項７の発明）と接触、非接触両用のＳＩＭを装着する場合（請求項４、請求項６、請求項８の発明）とに分類される。後者の場合は、アンテナコイル１１を備えることが好ましい。
【００２９】
図３は、第１形態ＳＩＭアダプタを示す図であって、図３（Ａ）は平面図、図３（Ｂ）は側面図、である。
図３（Ａ）のように、第１形態ＳＩＭアダプタ１Ａは、ＳＩＭ２を着脱可能に装着できる構造を有し、ＵＳＢコネクタ２０を備えている。ＳＩＭ２は挿入口１５から挿入されて端子板１２の下で停止する。この位置で、ＳＩＭ２の接触端子板とＳＩＭアダプタ１Ａの端子板１２とが、端子板１２が有するコンタクトピン（不図示）を介して接触する。
ＳＩＭ２を着脱する際は、ＳＩＭ２を固定するピンを解除すると押し出しされるか、押し出しできる構造になっている。
ＵＳＢコネクタ２０は雄型のソケットであって、ＰＣ等のＵＳＢポートに接続する端子である。電源端子（Ｖｂｕｓ）と接地端子（ＧＮＤ）、および２本のデータピン（Ｄ＋、Ｄ−）を有することが知られている。２本のデータピンの信号は、インターフェース変換ＩＣチップ１０によりＩＳＯ７８１６データに変換され、ＳＩＭ２に伝達される。
【００３０】
電源端子（Ｖｂｕｓ）からはバスパワーが供給される。すなわち、ＵＳＢコネクタが、ＰＣ等に接続している場合は、駆動用電源をＰＣ等から供給されるようにすることができる。ＵＳＢ規格では、ＵＳＢケーブルは、両方向にデータを伝送するほかに、一方向に電力を供給することを規定している。通常５ＶＤＣ±５％、５００ｍＡの電源を供給するとされている。ＵＳＢ規格はまた、接続するデバイスは、それ自身の電源を持つことができると規定している。このようなデバイスは電源内蔵型デバイスと呼ばれる。一方、上流のデバイス、またはハブから供給される電力だけに依存するデバイスはバス電力供給型デバイスと呼ばれる。
従って、図１または図３のＳＩＭアダプタ１Ａは、バス電力供給型デバイスに該当するが、供給する電源以上の電力を消費するセンサ等を接続する場合は、独自の電源を備える必要がある。
なお、図２の、ＳＩＭアダプタ１Ｂは、電源内蔵型デバイスに該当するので、外部電源７の電源はバスパワーを含まないものとする。
【００３１】
ＳＩＭ２が、接触と非接触双方のインターフェースを備える場合は、ＳＩＭアダプタ１Ａが非接触通信用のアンテナコイル１１を備えていることが好ましい。ＳＩＭ２がアンテナコイルを備えない場合であっても、これにより非接触交信が可能となるからである。
【００３２】
図３（Ｂ）のように、ＳＩＭアダプタ１Ａの側面には、ＵＳＢインターフェース用の雌型ソケットであるＵＳＢ用受けソケット８ａ，８ｂを２個備えている。１個であっても２個以上であっても勿論構わないが、小型のＳＩＭアダプタ１Ａに多数の受けソケットは設置できない。
この受けソケット８ａ，８ｂに、ＳＩＭアダプタ１Ａが有する機能に応じて、指紋センサや静脈センサ等を接続できるものである。
【００３３】
図４は、第２形態ＳＩＭアダプタを示す図であって、図４（Ａ）は平面図、図４（Ｂ）は側面図、である。
図４（Ａ）の平面図のように、第２形態ＳＩＭアダプタ１Ｂは、第１形態と同様に、ＳＩＭ２を着脱可能に装着できる構造を有し、ＵＳＢコネクタ２０を備え、さらに、液晶ディスプレイ４と指紋センサ６と、釦９と、を任意的に備えている。
ＳＩＭ２が、接触と非接触双方のインターフェースを備える場合は、ＳＩＭアダプタ１Ｂが非接触通信用のアンテナコイル１１を備えていることが好ましいのは同様である。
【００３４】
図４（Ｂ）のように、ＳＩＭアダプタ１Ｂの側面には、ＵＳＢインターフェース用の雌型ソケットであるＵＳＢ用受けソケット８ａ，８ｂ，８ｃを３個備えている。ただし、１個または２個であってもよい。この受けソケット８ａ，８ｂ，８ｃには、ＳＩＭアダプタ１Ｂが有する機能に応じて、例えば、声紋採取マイクやペンパッド、あるいはマウスやハードディスクドライブ等を接続できるものである。
【００３５】
ＵＳＢコネクタ２０には、シリーズＡ（アップストリーム）、シリーズＢ（ダウンストリーム）、シリーズ・ミニＢ（携帯機器向けに追加された小型のコネクタ、ダウンストリーム）があるが、いずれであっても構わない。一般的には、厚み４ｍｍ、幅１２ｍｍで差し込み部１２〜１３ｍｍ程度を突出させたものの使用が想定される。
ＵＳＢ用ハブコントローラ５には、サイズが、１０ｍｍ×１０ｍｍ×３ｍｍ程度のもの（例えば、日本電気株式会社製「ハブコントローラチップμＰＤ７２０１２」）が市販されていて実用可能である。
指紋センサには、指先をセンサに押圧する平面型と、センサ面を指先で擦過するスウィープ型がある。いずれでも使用できるが、ＳＩＭアダプタ１には、スウィープ型の場合が設置面積が小さく小型化には好ましい。スウィープ型指紋センサは、数ｍｍ幅の帯状のセンサ面を指で擦過するだけで指紋の特徴を認識する。擦過速度や押圧にむらがあっても、修正機能がはたらいて正しい指紋パターンが得られる。
【００３６】
ＳＩＭアダプタ１の端子板１２は、ＳＩＭ２が備える接触端子板の８端子と接続する構造を有している。端子板１２には、予備端子となっているＣ４とＣ８端子に、ＳＩＭアダプタ１のケーシング内に設けられた捲線アンテナコイル１１が接続している。アンテナコイル１１は、ＩＳＯ１４４４３ＴｙｐｅＡ，Ｂに準拠した非接触通信を行うためのものである。
ＳＩＭアダプタ１のバッテリ７には、リチウムイオン電池やリチウムポリマー電池を好ましく使用できる。リチウム二次電池であれば、３．３〜３．５Ｖ程度の電圧を供給できることから、ＩＣチップを駆動する電力供給にあたって好ましい。制御用ＩＣチップ３、液晶ディスプレイ４、その他のシステム負荷に対する供給電圧としては、３．３Ｖ程度が確保されればよい。
【００３７】
釦９は電源のオン−オフ、または表示選択や動作決定のために用いられる。液晶ディスプレイ４は、ＳＩＭ２のＩＣチップが保持する情報を釦９の操作により順次表示するようにされている。
液晶ディスプレイ４には、ドットマトリクスタイプの反射型カラー液晶表示を採用でき、図形表示も可能である。液晶ディスプレイ４の厚みは、１．０ｍｍ〜１．５ｍｍ程度となる。表示面積は、幅２０〜３０ｍｍから長さ４０〜７０ｍｍ程度のものにできる。
【００３８】
ＳＩＭアダプタ１の外形は、ポリカーボネート樹脂等の射出成形により製造され、通常、上蓋部と下側ケース部とからなっている。ＳＩＭ２は、上蓋部と下側ケース部間に開口する挿入口１５から挿入して、接触端子板１２の下面で停止し、端子板１２のコンタクトピンとＳＩＭ２の接触端子板２ｔ（図１１参照）とが接触する。
【００３９】
次に、ＳＩＭアダプタ１の使用方法について説明する。
図５は、ＳＩＭアダプタの使用状態を説明する図であって、ＳＩＭアダプタ１をノートパソコン３０に接続して使用する状態を示している。パソコンはノートパソコンに限らず、デスクトップＰＣやＰＤＡ、携帯端末、専用端末（ＡＴＭ等）であってもよい。
ＳＩＭアダプタ１をノートパソコン３０に接続した状態で、指紋センサ６により本人の指紋データと照合することができ、指紋照合とは別に、あるいは指紋照合とともに、ＵＳＢ用受けソケットに接続した声紋採取マイクにより声紋の照合を行うことができ、ペンパッドにより筆跡の照合を行うことができることを示している。
【００４０】
指紋センサ搭載ＳＩＭアダプタ１において、ＳＩＭアダプタ１内、あるいはＳＩＭ２内での指紋認証処理が可能となるが、ＳＩＭアダプタ１のＵＳＢ用受けソケット８に、その他のバイオメトリクスセンサを接続することで、指紋以外の声紋や筆跡のＳＩＭアダプタ１内、あるいはＳＩＭ２内での認証が可能となる。
【００４１】
上記のように、（１）ＳＩＭアダプタ１←→ハブ←→パソコンやＰＤＡ、の構成であれば、指紋はＳＩＭアダプタ１内、あるいはＳＩＭ２内での認証が可能となるが、その他の照合はパソコンやＰＤＡを何らかの形で経由させなければならないことになる。
つまり、上記（１）の構成ではなく、（２）ＳＩＭアダプタ１←→ハブ←→パソコンやＰＤＡの構成であって、パソコンやＰＤＡのハブに、声紋採取マイクやペンパッドを接続する構成にした場合には、以下の（Ａ）、（Ｂ）、（Ｃ）の処理方法となる。また、パソコンやＰＤＡのハブに、バイオメトリクスセンサを接続しないで、ＳＩＭアダプタ１にのみ、声紋採取マイクやペンパッドを接続する構成にした場合には、以下の（Ｄ）、（Ｅ）の処理方法となる。以下、図面を参照して説明する。
【００４２】
（Ａ）［パソコンやＰＤＡの内部照合］（図６参照。）
この場合は、パソコンやＰＤＡ等３０がＳＩＭアダプタ１内のＳＩＭ２から、カード保有者のバイオメトリクスデータ（以下および図中で、「ＢＣＤ」とも表示する。）を読み取りし、パソコンやＰＤＡのＲＡＭ等に一時記憶する。
声紋採取マイクやペンパッド等のバイオメトリクスセンサ４０を使用して、照合者が生の（Ｌｉｖｅの）バイオメトリクスデータを入力すると、パソコンやＰＤＡのＲＡＭにテンポラリーデータとして、一時記録される。当該テンポラリーデータをパソコンやＰＤＡ等３０が解析し、バイオメトリクス照合に使用可能であるか否かを判断する。
【００４３】
使用可能であれば、バイオメトリクス処理用にデータを整形し、バイオメトリクス特徴点を抽出する。次に、ＳＩＭ２から読み出したデータと生の（Ｌｉｖｅの）バイオメトリクスデータ（以下および図中で、「ＢＬＤ」とも表示する。）の特徴点をパソコンやＰＤＡ等３０の内部で比較照合する。バイオメトリクス照合閾値に達していれば「真」、未満であれば「偽」としてバイオメトリクス照合結果をＳＩＭ２に応答する。
「真」の場合、ＳＩＭ２のバイオメトリクス照合ステータスフラグを変更する。
この場合、カード保有者のバイオメトリクスデータ（ＢＣＤ）および真偽データが、ＵＳＢコネクタ２０を流れるかＰＣ等のメモリに残るので、盗聴の危険性が生じる。ＳＩＭアダプタ１を用いて、ＳＩＭアダプタ１に接続したバイオメトリクスセンサ４０の信号を用い、ＰＣ３０で解析・整形することもできるが盗聴の危険性は同様である。
【００４４】
（Ｂ）［ＳＩＭアダプタ内のＣＰＵによる照合］（図７参照。）
ＳＩＭアダプタ１のＣＰＵが、ＳＩＭアダプタ１内のＳＩＭ２から、カード保有者のバイオメトリクスデータを読み取りし、ＳＩＭアダプタ１のＲＡＭ等に一時記憶する。
パソコンやＰＤＡ等３０に接続した声紋採取マイクやペンパッド等のバイオメトリクスセンサ４０を使用して、照合者が生の（Ｌｉｖｅの）バイオメトリクスデータを入力すると、パソコンやＰＤＡ等３０のＲＡＭにテンポラリーデータとして、一時記録される。当該テンポラリーデータをパソコンやＰＤＡ等３０が解析し、バイオメトリクス照合に使用可能であるか否かを判断する。
【００４５】
使用可能であれば、バイオメトリクス処理用にデータを整形し、バイオメトリクス特徴点を抽出する。次に、特徴点データをＳＩＭアダプタ１に送信する。ＳＩＭ２から読み出したデータ（ＢＣＤ）と生の（Ｌｉｖｅの）バイオメトリクスデータ（ＢＬＤ）の特徴点をＳＩＭアダプタ１ＢのＣＰＵで比較照合する。バイオメトリクス照合閾値に達していれば「真」、未満であれば「偽」としてバイオメトリクス照合結果をＳＩＭ２に応答する。「真」の場合、ＳＩＭ２のバイオメトリクス照合ステータスフラグを変更する。
この場合、ＳＩＭアダプタ１Ｂを用いて、ＳＩＭアダプタ１Ｂに接続したバイオメトリクスセンサ４０の信号を用い、ＰＣやＰＤＡ等３０で解析・整形することもできる。しかし、いずれにしても整形したバイオメトリクスデータ（ＢＬＤ）がＵＳＢコネクタ２０を流れる問題はある。
【００４６】
（Ｃ）［ＳＩＭ内のＣＰＵによる照合］（図８参照。）
パソコンやＰＤＡ等３０に接続した声紋採取マイクやペンパッド等のバイオメトリクスセンサ４０を使用して、照合者が生の（Ｌｉｖｅの）バイオメトリクスデータを入力すると、パソコンやＰＤＡ等３０のＲＡＭにテンポラリーデータとして、一時記録される。当該テンポラリーデータをパソコンやＰＤＡ等３０が解析し、バイオメトリクス照合に使用可能であるか否かを判断する。
使用可能であれば、バイオメトリクス処理用にデータを整形し、バイオメトリクス特徴点を抽出する。次に、特徴点データをＳＩＭアダプタ１に送信する。ＳＩＭアダプタ１は当該データをＳＩＭ２に送信する。ＳＩＭ２内のＣＰＵで、あらかじめ登録済みのカード保有者バイオメトリクス特徴点データ（ＢＣＤ）と生の（Ｌｉｖｅの）バイオメトリクスデータ（ＢＬＤ）の特徴点を比較照合する。バイオメトリクス照合閾値に達していれば「真」、未満であれば「偽」とする。
「真」の場合、ＳＩＭ２のバイオメトリクス照合ステータスフラグを変更する。
この場合、ＳＩＭアダプタ１を用いて、ＳＩＭアダプタ１に接続したバイオメトリクスセンサ４０の信号を用い、ＰＣやＰＤＡ等３０で解析・整形することもできる。しかし、いずれにしても整形したバイオメトリクスデータ（ＢＬＤ）がＵＳＢコネクタ２０を流れる問題はある。
【００４７】
（Ｄ）［ＳＩＭアダプタ内のＣＰＵによる照合］（図９参照。）
ＳＩＭアダプタ１ＢのＣＰＵが、ＳＩＭアダプタ１Ｂ内のＳＩＭ２から、カード保有者のバイオメトリクスデータを読み取りし、ＳＩＭアダプタ１ＢのＲＡＭ等に一時記憶する。この場合、バイオメトリクスセンサ４０をＳＩＭアダプタ１Ｂに接続するので、ＰＣやＰＤＡ等のＣＰＵを一切使用しない。
声紋採取マイクやペンパッド等のバイオメトリクスセンサ４０を使用して、照合者が生の（Ｌｉｖｅの）バイオメトリクスデータを入力すると、ＳＩＭアダプタ１ＢのＲＡＭにテンポラリーデータとして、一時記録される。当該テンポラリーデータをＳＩＭアダプタ１Ｂが解析し、バイオメトリクス照合に使用可能であるか否かを判断する。使用可能であれば、バイオメトリクス処理用にデータを整形し（この過程でもＰＣやＰＤＡのＣＰＵを一切使用しない。）、バイオメトリクス特徴点を抽出する。
ＳＩＭ２から読み出したデータ（ＢＣＤ）と生の（Ｌｉｖｅの）バイオメトリクスデータ（ＢＬＤ）の特徴点をＳＩＭアダプタ１ＢのＣＰＵで比較照合する。バイオメトリクス照合閾値に達していれば「真」、未満であれば「偽」としてバイオメトリクス照合結果をＳＩＭ２に応答する。
「真」の場合、ＳＩＭ２のバイオメトリクス照合ステータスフラグを変更する。
【００４８】
（Ｅ）［ＳＩＭ内のＣＰＵによる照合］（図１０参照。）
声紋採取マイクやペンパッド等のバイオメトリクスセンサ４０を使用して、照合者が生の（Ｌｉｖｅの）バイオメトリクスデータを入力すると、ＳＩＭアダプタ１のＲＡＭにテンポラリーデータとして、一時記録される。この場合、バイオメトリクスセンサ４０をＳＩＭアダプタ１に接続するので、ＰＣやＰＤＡ等３０のＣＰＵを一切使用しない。
当該テンポラリーデータをＳＩＭアダプタ１が解析し、バイオメトリクス照合に使用可能であるか否かを判断する。使用可能であれば、バイオメトリクス処理用にデータを整形し（この過程でもＰＣやＰＤＡのＣＰＵを一切使用しない。）、バイオメトリクス特徴点を抽出する。次に、特徴点データをＳＩＭ２に送信する。ＳＩＭ２内のＣＰＵで、あらかじめ登録済みのカード保有者バイオメトリクス特徴点データ（ＢＣＤ）と生の（Ｌｉｖｅの）バイオメトリクスデータ（ＢＬＤ）の特徴点を比較照合する。バイオメトリクス照合閾値に達していれば「真」、未満であれば「偽」とする。
「真」の場合、ＳＩＭ２のバイオメトリクス照合ステータスフラグを変更する。
【００４９】
以上のように、処理方法について詳述したが、（Ａ）の処理方法では、盗聴の危険性が生じることが認められる。しかし、ＳＩＭアダプタ１Ｂが有するＣＰＵを使用する場合、あるいはＳＩＭ２内で処理する場合は、その危険性は生じない。またさらに、ＳＩＭアダプタ１が有するか、ＳＩＭアダプタ１に接続したバイオメトリクスセンサ４０のデータを用いて、ＳＩＭアダプタ１Ｂ内、あるいはＳＩＭ２内で処理する場合は、データの盗聴の危険性がないことが明らかである。
【産業上の利用可能性】
【００５０】
本発明は以上のように、情報セキュリティにおける権限認証のために、好適に用いられるものであるが、当該用途にかぎらず、バイオメトリクス認証が要求される各種用途に適用が可能なものである。例えば、特定施設への通行証として、あるいは航空機搭乗の際の本人認証として、等の用途が考えられ、用途面からの限定はされないものである。
なお、ＳＩＭアダプタに装着するＳＩＭとして、接触型単独のものと接触、非接触両用型のＳＩＭについてのみ説明しているが、文献１に記載されるように、ＩＳＯ７８１６接触とＵＳＢインターフェース機能のＩＣカードも提案されている。
従って、本発明のＳＩＭアダプタは、当該機能のＳＩＭにも適用可能なことは、当業者には自明のことである。
【図面の簡単な説明】
【００５１】
【図１】第１形態ＳＩＭアダプタのブロック図である。
【図２】第２形態ＳＩＭアダプタのブロック図である。
【図３】第１形態ＳＩＭアダプタの例を示す図である。
【図４】第２形態ＳＩＭアダプタの例を示す図である。
【図５】ＳＩＭアダプタの使用状態を説明する図である。
【図６】バイオメトリクスデータの処理方法を説明する図である。
【図７】バイオメトリクスデータの処理方法を説明する図である。
【図８】バイオメトリクスデータの処理方法を説明する図である。
【図９】バイオメトリクスデータの処理方法を説明する図である。
【図１０】バイオメトリクスデータの処理方法を説明する図である。
【図１１】液晶ディスプレイ付きＳＩＭリーダライタを示す図である。
【符号の説明】
【００５２】
１，１Ａ，１Ｂ    ＳＩＭアダプタ
２    ＳＩＭ、ＩＣカード
２ｔ  接触端子
３    制御用ＩＣチップ
４    液晶ディスプレイ
５    ＵＳＢ用ハブコントローラ
６    指紋センサ
７    バッテリ（二次電池）または外部電源
８，８ａ，８ｂ，８ｃ    ＵＳＢ用受けソケット
９    釦
１０    インターフェース変換ＩＣチップ
１１    アンテナコイル
１２    接触端子板
１５    挿入口
１６    段部
１８    上蓋部
１９    下側ケース部
２０    ＵＳＢコネクタ
３０    ＰＣ、ＰＤＡ、ノートパソコン、携帯端末等
３０Ｉ  ＵＳＢインターフェース（Ｉ／Ｆ）
４０    バイオメトリクスセンサ
【図１】
2005202621.tif 000003
【図２】
2005202621.tif 000004
【図３】
2005202621.tif 000005
【図４】
2005202621.tif 000006
【図５】
2005202621.tif 000007
【図６】
2005202621.tif 000008
【図７】
2005202621.tif 000009
【図８】
2005202621.tif 000010
【図９】
2005202621.tif 000011
【図１０】
2005202621.tif 000012
【図１１】
2005202621.tif 000013